(57)【要約】【課題】床下の空調装置の結露の建物外部への排水を可能とし、かつ、この排水経路の逆流を防止しつつ、メンテナンス性を確保可能とする。【解決手段】空調装置５０は、建物Ｈの床下空間３２に設けられ、屋内の送風を冷却する熱交換器５１ａを備えた熱交換部５１と、熱交換器５１ａからのドレン水を受け止め、建物の外部に導くドレン路６０と、ドレン路６０の建物外部のエルボ管６３に設けられ、熱交換器５１ａ側から建物外部の方向へのドレン水の流れを許容し、それとは逆方向の流れを禁止する逆止弁ユニット７０と、を備える。さらに、空調装置５０は、逆止弁ユニット７０が、エルボ管６３の縦管部６３２に設けられ、かつ、逆止弁（弁体７１）の上に溜まったドレン水の水頭圧を受け、水頭圧が所定圧を未満で閉弁状態を維持し、所定圧を越えると開弁する。【選択図】図２
2020204434.tif 000002
【特許請求の範囲】
【請求項１】
建物の床下に設けられ、屋内の送風を冷却する熱交換器を備えた熱交換部と、
前記熱交換器からのドレン水を受け止め、建物外部に導くドレン路と、
前記ドレン路の建物外部の部位に設けられ、前記熱交換器側から建物外部の方向への前記ドレン水の流れを許容し、それとは逆方向の流れを禁止する逆止弁と、
を備える空調装置。
【請求項２】
請求項１に記載の空調装置において、
前記ドレン路の建物外部には、前記ドレン路の向きを下方に向けるエルボ管が設けられ、
前記逆止弁は、前記エルボ管の縦管部に設けられ、かつ、前記逆止弁の上に溜まった前記ドレン水の水頭圧を受け、前記水頭圧が所定圧を未満で閉弁状態を維持し、前記所定圧を越えると開弁する空調装置。
【請求項３】
請求項２記載の空調装置において、
前記逆止弁は、前記縦管部に着脱可能な逆止弁ユニットとして設けられ、
前記逆止弁ユニットは、
前記縦管部の途中で、前記縦管部に連続する流路を形成する管状部と、
前記管状部の下端部に下方を向いて設けられた弁座部と、
前記管状部の下側に設けられ、前記弁座部の下方から前記弁座部に圧接して設けられた弁体と、
を備える空調装置。
【請求項４】
請求項３に記載の空調装置において、
前記逆止弁ユニットと前記縦管部との間に、前記逆止弁ユニットを前記縦管部に固定したロック状態とするロック機構が設けられている空調装置。
【請求項５】
建物の床下に設けられ、屋内の送風を冷却する熱交換器を備えた熱交換部と、
前記熱交換器のドレン水を受け止め、前記熱交換部から建物外部に導くドレン路と、
前記ドレン路において前記床下に配置された逆止弁と、
前記ドレン路の建物外部の端部に、前記建物の基礎側壁から建物外部に突出して設けられた側壁外部管と、
を備える空調装置から、請求項１〜請求項４のいずれか１項に記載の空調装置への変更方法であって、
前記逆止弁の機能を解除する工程と、
前記ドレン路の向きを水平方向から下方に向ける横管部および縦管部と、前記縦管部に設けられ、その上に溜まった前記ドレン水の水頭圧を受け、前記水頭圧が所定圧を未満で閉弁状態を維持し、前記所定圧を越えると開弁する新たな逆止弁と、を備えたエルボ管の前記横管部を、前記側壁外部管に装着して固定する工程と、
を備える変更方法。
【発明の詳細な説明】
【技術分野】
【０００１】
本開示は、空調装置および変更方法に関する。
【背景技術】
【０００２】
従来、建物の床下に空調装置を備えた空調システムが知られている（例えば、特許文献１参照）。
【先行技術文献】
【特許文献】
【０００３】
【特許文献１】特許第５５０４０１５号公報
【発明の概要】
【発明が解決しようとする課題】
【０００４】
一般的に空調装置では、熱交換器により空気を冷却する場合、熱交換器に結露が生じ、この結露を建物外部へ排出する必要が生じる。通常、後述の比較例で述べるように、結露を外部に排出するドレン排水管０５を床下空間０１に設け、ドレン排水管０５の途中に逆止弁０９を設けるため、メンテナンス性が悪かった。
【０００５】
本開示は、上記課題に着目してなされたもので、床下の空調装置の結露の建物外部への排水経路の逆流を防止しつつ、メンテナンス性を確保可能な空調装置および変更方法を提供することを目的とする。
【課題を解決するための手段】
【０００６】
本開示の空調装置は、建物の床下に設けられ、屋内の送風を冷却する熱交換器を備えた熱交換部と、前記熱交換部の熱交換器からのドレン水を受け止め、建物の外部に導くドレン路と、前記ドレン路の建物外部の部位に設けられ、前記熱交換器側から建物外部の方向への前記ドレン水の流れを許容し、それとは逆方向の流れを禁止する逆止弁と、を備える。
本開示の変更方法は、ドレン路において床下に配置された逆止弁の機能を解除する工程と、建物の基礎側壁から建物外部に突出して設けられた側壁外部管に、新たな逆止弁を備えたエルボ管の横管部を装着して固定する工程と、を備える。
【発明の効果】
【０００７】
本開示の空調装置は、床下の空調装置の結露の建物外部への排水経路の逆流を防止しつつ、メンテナンス性を確保可能である。
また、本開示の変更方法は、メンテナンス性に劣る空調装置からメンテナンス性に優れる空調装置への変更が可能である。
【図面の簡単な説明】
【０００８】
【図１】実施の形態１の空調装置５０を備えた空調システムの概略を示すシステム全体図である。
【図２】実施の形態１の空調装置５０を示す構造説明図である。
【図３】実施の形態１の空調装置に用いたエルボ管６３を示す断面図である。
【図４】実施の形態１との比較例の空調装置を示す構造説明図である。
【図５Ａ】比較例の空調装置の逆止弁０９を示す断面図である。
【図５Ｂ】比較例の空調装置から実施の形態１の空調装置５０への変更方法において逆止弁０９から弁体０１０を取り除いた状態を示す断面図である。
【図６Ａ】比較例の空調装置のエルボ管０７およびその切除箇所を示す工程説明図である。
【図６Ｂ】比較例の空調装置のエルボ管０７を切除した状態を示す工程説明図である。
【図６Ｃ】比較例の空調装置のエルボ管０７を実施の形態１のエルボ管６３に交換した状態を示す工程説明図である。
【発明を実施するための形態】
【０００９】
以下、本開示の空調システムの実施の形態について説明する。
（建物の構成）
まず、図１に基づいて、この実施の形態の空調システムが設置された建物Ｈの構成を説明する。
この建物Ｈは、基礎１０の上に、建物本体２０が設けられている。
基礎１０は、基礎断熱として構築されたコンクリート製の基礎底盤１１および基礎側壁１２を備える。
【００１０】
建物本体２０は、１階床部２１を挟んで、床上空間３１と床下空間３２とに仕切られている。さらに、床上空間３１は、天井床部２２を挟んで１階空間３１ａと２階空間３１ｂとに仕切られている。なお、床上空間３１の一部には、１階空間３１ａと２階空間３１ｂとが連続する吹抜け空間部３１ｃが設けられている。
【００１１】
床下空間３２には、熱交換換気装置４０と、空調装置５０とが設けられている。
熱交換換気装置４０は、建物内の空気である内気と建物外部の空気である外気とを交換するとともに、内気と外気とで熱交換を行って、内気の熱が建物外部に逃げないようにした周知のものである。
【００１２】
この熱交換換気装置４０は、建物Ｈにおいて外部に開口された給気口４１および排気口４２に接続されている。そして、熱交換換気装置４０は、給気口４１からフィルタボックス４１ａを介して吸入した外気を、熱交換部４３で内気と熱交換した後、床下吹出口４４から床下空間３２に吹き出すとともに、２階給気管４５を介して、２階吹出口４６から２階空間３１ｂに吹き出す。なお、床下空間３２に吹き出された空気は、１階床部２１に開口された１階床吹出口４７を介して、１階空間に吹き出される。
【００１３】
一方、熱交換換気装置は、１階床部２１に開口された換気用吸入口４８から床上空間３１の空気を吸い込み、熱交換部４３において外気と熱交換を行った後、排気口４２から建物外部に排気する。
【００１４】
次に、空調装置５０について説明する。
空調装置５０は、床下空間３２に熱交換部５１を備え、床上空間３１の空気を吸い込んで、熱交換部５１で熱交換した後、床上空間３１や床下空間３２に送風する装置である。熱交換部５１には、送風を加熱したり冷却したりする熱交換器５１ａ（図２に参照）を備える。なお、図２に示す熱交換器５１ａは、いわゆるヒートポンプ式の、冷却と加熱の両方を行うものである。そして、熱交換部５１では、図１に示すように、１階床部２１に設けられた熱交換用吸入口５２から床上空間３１の空気を吸い込み、熱交換を行った後、この熱交換を行った空気を、床下空間３２、１階空間３１ａ、２階空間３１ｂへ送風する。
【００１５】
なお、熱交換部５１から床上空間３１への送風経路は、第１送風路５３を介して、１階床部２１の１階床送風口５３ａから吹き出す経路と、第２送風路５４を介して床下空間吹出口５４ａから床下空間３２に吹き出す経路とを備える。
【００１６】
空調装置５０は、熱交換器５１ａの下方位置に冷房時、除湿時に付着した結露を、屋外に排出するドレン路６０を備える。このドレン路６０は、図２に示すように、ドレン皿６１、ドレン管６２、エルボ管６３を備える。
【００１７】
ドレン皿６１は、熱交換部５１のケース５１ｃ内において、熱交換器５１ａの下方位置に配置され、熱交換器５１ａから落下する結露水を受け止める配置となっている。
【００１８】
ドレン管６２は、ドレン皿６１と建物外部とを連通するもので、ドレン皿６１から基礎側壁１２を貫通して建物外部まで延在され、かつ、基礎側壁１２の側が低くなって、ドレン皿６１の結露水を基礎側壁１２の外まで導くように水勾配が付与されている。
【００１９】
エルボ管６３は、一端の開口が、ドレン管６２の先端に接続され、他方の開口が、下方を向いて設置されている。そして、エルボ管６３には、逆止弁ユニット７０が設けられている。この逆止弁ユニット７０は、ドレン水が、屋内から屋外に排出するのを許容し、ドレン水の逆流や、建物外部から建物内への虫や臭気の進入を遮断する逆止弁の機能を有し、かつ、エルボ管６３に着脱可能に設けられている。
【００２０】
なお、ドレン皿６１には、ドレン皿６１に溜まったドレン水の水位が、予め設定された許容水位を越えたことを検出する水位センサ８０が設けられている。そして、空調装置５０のコントローラ（不図示）は、ドレン皿６１の水位が許容水位を越えて、漏水のおそれがある場合は、空調装置５０の運転を停止させる。
【００２１】
次に、図３に基づいて、エルボ管６３および逆止弁ユニット７０について説明する。
図３は、エルボ管６３および逆止弁ユニット７０の縦断面図であり、エルボ管６３は、軸心を水平方向に向けた横管部６３１と、軸心を上下方向に向けた縦管部６３２とが湾曲部６３３を介して一体に形成されている。
【００２２】
また、横管部６３１の先端部には、接続用に大径に形成され、突き当て段部を有した円筒状のジョイント部６３４が形成されており、このジョイント部６３４にドレン管６２が接続される。
【００２３】
さらに、エルボ管６３の縦管部６３２には、建物Ｈとは反対側の側部に点検口６３５が開口され、点検口６３５に対向する位置に、係止穴６３２ａが開口されている。そして、点検口６３５には、逆止弁ユニット７０を支持するためのユニット支持部６３６が設けられている。
ユニット支持部６３６は、逆止弁ユニット７０の後述する蓋部７３および着脱操作部７４を嵌め込む大径小径２段の円筒部６３６ａと、円筒部６３６ａと点検口６３５との間で、点検口６３５以外の部分を塞ぐ底部６３６ｂとを備える。また、円筒部６３６ａには、大径部分と小径部分との間に、徐々に内径を狭める形状のテーパ部６３６ｃが設けられている。
【００２４】
円筒部６３６ａの大径部分の内周には、ロック溝６３６ｄが形成されている。このロック溝６３６ｄは、詳細な図示は省略するが、図３に示す部分が、ロック状態を形成する部分であり、円筒部６３６ａの最も奥に位置する。そして、このロック溝６３６ｄは、図３に示す位置から周方向に変位するに連れて円筒部６３６ａの開口端側に変位した後、開口まで軸方向に延びる部分を有する。
【００２５】
次に、逆止弁ユニット７０について説明する。
逆止弁ユニット７０は、弁体７１と、流路形成部７２と、蓋部７３と、着脱操作部７４とを備える。
【００２６】
弁体７１は、弾性体により形成されている。なお、弾性体としては、合成樹脂（例えば、シリコーン）やゴムなどにより形成されている。
【００２７】
流路形成部７２は、エルボ管６３の縦管部６３２の流路に連続する流路を形成し、かつ、弁座としての機能および弁体７１を保持する機能を有するもので、この流路形成部７２は、管状部７２１、弁座部７２２、弁体保持部７２３を備える。
【００２８】
管状部７２１は、管状に形成され、縦管部６３２と略同軸に配置されている。また、管状部７２１の上端部には、縦管部６３２に当接して両者の間をシールするパッキン部材７２４が設けられている。さらに、管状部７２１の外側には、縦管部６３２の係止穴６３２ａに差し込まれて上下方向に係合する係止凸部７２５が設けられている。
弁座部７２２は、管状部７２１の下端に形成され、弁体７１が当接した閉弁状態と、弁体７１が離された開弁状態とを形成する。
弁体保持部７２３は、弁体７１の中央部分を保持する。なお、弁体７１の保持状態については後述する。
蓋部７３は、点検口６３５を塞ぐもので、流路形成部７２と一体に形成され、ユニット支持部６３６の円筒部６３６ａの小径部分の内周に当接する円筒部７３１と、円筒部７３１の内側に設けられた底部７３２とを備える。なお、円筒部７３１の外周には、円筒部６３６ａの小径部分の内周に圧接されてシールするＯリング７３３が設けられている。
【００２９】
着脱操作部７４は、逆止弁ユニット７０の縦管部６３２への着脱する際の操作を行うもので、蓋部７３と相対回転可能に連結され、かつ、ユニット支持部６３６の円筒部６３６ａに着脱可能となっている。すなわち、着脱操作部７４を円筒部６３６ａに着脱することにより、蓋部７３および流路形成部７２を着脱操作部７４と共にエルボ管６３から引き抜くことができるもので、つまり、逆止弁ユニット７０を、点検口６３５に出し入れすることが可能となっている。
【００３０】
以下に、着脱操作部７４について詳細に説明する。
着脱操作部７４は、外周部に、円筒部６３６ａの内周に相対回転可能な円筒部７４１を有し、この円筒部７４１の内側に円盤部７４２を有し、円盤部７４２の中央から板状の摘み部７４３が突出されている。すなわち、摘み部７４３を撮んで着脱操作部７４を時計回り方向および反時計回り方向に回転操作を行うことができる。
【００３１】
また、着脱操作部７４の円盤部７４２の内周側には、蓋部７３の円筒部７３１の内周に緩く嵌る有底の内周円筒部７４２ａが設けられている。そして、この内周円筒部７４２ａの外周の全周に亘って設けられた係合溝７４２ｂに、円筒部７３１の内周から内径方向に突出された係合突起７３１ａが、円周方向には相対変位可能で、軸方向に係合している。
【００３２】
したがって、着脱操作部７４を回転させた際に、蓋部７３および流路形成部７２は回転することなく、軸方向（図３の左右方向）に移動することができる。
【００３３】
着脱操作部７４と、エルボ管６３のユニット支持部６３６との間には、逆止弁ユニット７０を、エルボ管６３の縦管部６３２に固定したロック状態と、縦管部６３２に出し入れ可能なロック解除状態とに切り替えるロック機構７５が設けられている。なお、逆止弁ユニット７０のロック状態では、蓋部７３の円筒部７３１がテーパ部６３６ｃに案内されて底部６３６ｂに突き当てられる。同時に、管状部７２１のパッキン部材７２４が縦管部６３２に圧接されてシール状態となるとともに、円筒部７３１のＯリング７３３が円筒部６３６ａに圧接されてシール状態となる。
【００３４】
ロック機構７５は、円筒部７４１から外径方向に突出されたロック用突起７４１ａと、前述した円筒部６３６ａのロック溝６３６ｄとで形成される。すなわち、ロック用突起７４１ａを、円筒部６３６ａの開口部側からロック溝６３６ｄに軸方向に押し込んで、着脱操作部７４を回転させると、ロック用突起７４１ａが、ロック溝６３６ｄに沿って回転しながら軸方向に変位する。そして、最終的に、着脱操作部７４が、図３に示すユニット支持部６３６の円筒部６３６ａの径差による段部に突き当たった状態となる。この時、蓋部７３もユニット支持部６３６の底部６３６ｂに突き当たり、Ｏリング７３３が円筒部６３６ａに圧接されてシール状態が形成される。さらに、流路形成部７２は、係止凸部７２５が縦管部６３２の係止穴６３２ａに差し込まれて上下方向の移動が規制されるとともに、上端部のパッキン部材７２４が縦管部６３２に圧接されてシール状態が形成される。
【００３５】
次に、流路形成部７２の弁体保持部７２３について説明する。
弁体保持部７２３は、弁体７１が弁座部７２２に圧接した状態として弁体７１を保持する。弁体７１は、前述したように、弾性体により形成され、かつ、円盤状に形成され、中央部は上方に凸状に形成されている。そして、弁体保持部７２３は、弁体７１の中央部の凸状部分を、弁座部７２２に当接する外周部よりも上方位置で保持することで、弁体７１を弾性変形させて弁座部７２２に圧接した閉弁状態として保持する。
【００３６】
さらに、この弁体７１の弁座部７２２に対した圧接した閉弁力は、予め設定された閉弁力となっており、すなわち、弁体７１の上側に所定の水位（水頭圧）のドレン水が貯まったら、開弁するように設定されている。つまり、弁体７１は、弁体７１よりも上方に流れてきたドレン水が、所定の水頭（所定の高さであり、所定の重さ）になると開弁して排水し、排水後は、弾性復元力により弁座部７２２に圧接して閉弁状態に戻る。
【００３７】
（実施の形態１の作用）
以下に、実施の形態１の作用について説明する。この作用の説明にあたり、まず、比較例の問題について説明する。
【００３８】
（比較例）
図４は比較例の空調装置を示すもので、床下空間０１に、空調装置の熱交換部０２が設けられている。熱交換部０２は、熱交換器０３を備え、熱交換器０３の下方位置には、ドレン皿０４が設けられ、ドレン皿０４に溜まったドレン水は、ドレン排水管０５を介して、基礎側壁０６から建物外部へ排出可能となっている。なお、ドレン排水管０５の先端部には、基礎側壁０６から建物外部に突出した側壁外部管としてのエルボ管０７が設けられ、ドレン水を下方に排出可能となっている。
【００３９】
また、ドレン皿０４には、このドレン皿０４に溜まった水が所定の許容水量を超えたことを検出する水位センサ０８が設けられ、この水位センサ０８が許容水量を超えたことを検出した場合は、空調装置は運転を停止する。
【００４０】
また、ドレン排水管０５の途中には、逆止弁０９が設けられ、ドレン水の逆流や、外部から建物内への虫や臭気の進入を防止するようになっている。なお、逆止弁０９には、弁体０１０が設けられている。
【００４１】
上記の比較例の場合、以下に述べる問題を有する。
ドレン水には、熱交換器０３に付着した室内空気の埃やちりが含まれている。このため、ドレン水に、微生物が発生し、いわゆる「ぬめり」が生じる。そして、この「ぬめり」により逆止弁０９では、弁体０１０の開弁が円滑に行われなくなり、排水が円滑に行われなくなる場合がある。特に、逆止弁０９がドレン排水管０５の途中に設けられている場合、弁体０１０は、ドレン排水管０５のドレン勾配に基づく水圧で開弁する構造となっているため、「ぬめり」による僅かな抵抗でも開弁不良が生じるおそれがある。
【００４２】
そして、このように、排水が円滑になされなくなると、ドレン皿０４の水位が増加し、許容水量を超えると、水位センサ０８がそれを検出し、空調装置が運転を停止する。
【００４３】
このような不具合が生じた場合には、人が床下空間０１に潜って点検し、状況を把握した後、逆止弁０９を洗浄した上で、ドレン皿０４の排水を行うことになるが、このような作業は、住人が行うことが難しく、業者を呼んでの作業となる。したがって、空調装置の運転停止から、作業を終了して運転祖再開するまで時間を要し、空調装置を使用できない不具合が長時間継続するとともに、手間および費用を要する。
【００４４】
（実施の形態１の空調装置の場合）
次に、実施の形態１の空調装置５０の場合について説明する。
ドレン皿６１に溜まったドレン水は、ドレン管６２の水勾配に基づいて、ドレン皿６１からエルボ管６３に向かって流れる。そして、ドレン水は、エルボ管６３では、横管部６３１から縦管部６３２に落下し、逆止弁ユニット７０の弁体７１の上に溜まる。
【００４５】
そして、弁体７１の上に溜まったドレン水の水位（重量）が、弁体７１の弾性による閉弁力を超えると、弁体７１が、図３において二点鎖線により示すように下方に変形して開弁し、ドレン水を下方に排水する。そして、排水後は、弁体７１の復元力により、閉弁状態に戻る。
【００４６】
このように、逆止弁ユニット７０では、弁体７１が水頭圧（重量）により開弁する構造であるため、ドレン水に「ぬめり」が生じたとしても、開弁不良になりにくい。特に、比較例に示すように、水勾配による水圧により開弁するものと比較して、開弁不良になりにくい。
【００４７】
また、弁体７１は、弁座部７２２に対して下方から当接しているため、弁体７１に対してドレン路６０を逆流する方向に風圧が作用した場合、弁体７１は弁座部７２２に押し付けられ、風と一緒に、虫や埃、塵などが進入することがない。なお、弁体７１に対して負の風圧が作用した場合、ドレン路６０における流れの方向の作用となり、弁体７１を開弁する水頭圧が低くなるだけで、開弁したとしても、ドレン水が排水されるだけであり、虫、埃、塵が進入することはない。
【００４８】
次に、仮に、「ぬめり」などにより、逆止弁ユニット７０に開弁不良が生じた場合について説明する。
逆止弁ユニット７０に開弁不良が生じた場合、比較例と同様に、ドレン水がドレン路６０に溜まりドレン皿６１の水位が許容水位を超えるおそれがある。この場合、比較例と同様に、水位センサ８０が許容水位を超えたことを検出すると、空調装置５０の運転を停止する。
【００４９】
このような場合には、住人は、逆止弁ユニット７０のメンテナンス作業を建物外部から行うことができる。
このメンテナンス作業では、まず、図３に示す逆止弁ユニット７０をエルボ管６３から取り外す。この逆止弁ユニット７０の取り外しの際には、摘み部７４３を摘んで着脱操作部７４を回転させるとロック機構７５のロックが解除される。このロック解除状態で着脱操作部７４を手前に引くと、逆止弁ユニット７０の全体をエルボ管６３から引き抜くことができる。
【００５０】
したがって、逆止弁ユニット７０の弁体７１および弁座部７２２が露出され、「ぬめり」などの弁体７１の開弁不良となった原因を取り除いて、円滑に開弁可能な状態とすることができる。
【００５１】
また、逆止弁ユニット７０をエルボ管６３から引き抜いた際には、ドレン路６０に溜まったドレン水およびドレン皿６１に溜まったドレン水が排水される。このため、ドレン皿６１の水位が低下し、水位センサ８０の検出水位は、許容水位未満に低下し、空調装置は、運転再開可能となる。
【００５２】
さらに、住人は、上記のメンテナンス作業を定期的に（例えば、１年に１回程度）行うことで、逆止弁ユニット７０が「ぬめり」の発生により開弁不良となることを防止できる。このように逆止弁ユニット７０が、建物外部において、エルボ管６３に着脱可能となっているため、このような定期的なメンテナンス作業を容易に行うことができる。
【００５３】
（空調装置の変更方法）
次に、図４に示した比較例の空調装置から、実施の形態１の空調装置５０への変更方法について説明する。
【００５４】
まず、ドレン排水管０５の逆止弁０９から弁体０１０を取り除いて、逆止弁０９の機能を解除する。この場合、弁体０１０を完全に取り除いてもよいし、弁体０１０の弁として機能する部分のみをカットしてもよい。
【００５５】
次に、エルボ管０７を、図６Ａの点線ｃｕｔの位置で基礎側壁０６に沿って管０７ａの基礎側壁０６内の部分を残して切除する。そして、図６Ｂに示すように、基礎側壁０６内に残っているドレン排水管０５の内周に、継手用管０１１を差し込み固定する。
【００５６】
次に、図６Ｃに示すように、継手用管０１１の外周に、実施の形態１で示したエルボ管６３の横管部６３１を装着して固定する。なお、この固定としては、接着剤や溶着を用いることができる。
【００５７】
以上のように、既存の逆止弁０９の逆止弁機能を取り除いて、既存のエルボ管０７から実施の形態１で用いたエルボ管６３に交換するだけで、実施の形態１の空調装置とすることができる。
【００５８】
（実施の形態の効果）
以下に、実施の形態１の空調システムの効果を列挙する。
（１）実施の形態１の空調装置５０は、建物Ｈの床下空間３２に設けられ、屋内の送風を冷却する熱交換器５１ａを備えた熱交換部５１と、熱交換器５１ａからのドレン水を受け止め、建物の外部に導くドレン路６０と、ドレン路６０の建物外部の部位（エルボ管６３）に設けられ、熱交換器５１ａ側から建物外部の方向へのドレン水の流れを許容し、それとは逆方向の流れを禁止する逆止弁（弁体７１）と、を備える。
したがって、逆止弁に不具合が生じた場合に、床下空間３２に潜ることなく建物外部で確認することができ、メンテナンス性に優れる。
【００５９】
（２）実施の形態１の空調装置５０は、ドレン路６０の建物外部には、ドレン路６０の向きを下方に向けるエルボ管６３が設けられ、逆止弁（弁体７１）は、エルボ管６３の縦管部６３２に設けられ、かつ、逆止弁（弁体７１）の上に溜まったドレン水の水頭圧を受け、水頭圧が所定圧を未満で閉弁状態を維持し、所定圧を越えると開弁する。
したがって、逆止弁０９をドレン排水管０５の途中に設けた比較例のように、水勾配による水圧により開弁するものと比較して、「ぬめり」による開弁不良が生じにくい。
【００６０】
（３）実施の形態１の空調装置５０は、逆止弁（弁体７１）は、縦管部６３２に着脱可能な逆止弁ユニット７０として設けられ、逆止弁ユニット７０は、縦管部６３２の途中で、縦管部６３２に連続する流路を形成する管状部７２１と、管状部７２１の下端部に下方を向いて設けられた弁座部７２２と、管状部７２１の下側に設けられ、弁座部７２２の下方から弁座部７２２に圧接して設けられた弁体７１と、を備える。
したがって、弁体７１の開閉に異常が生じた場合、逆止弁ユニット７０をエルボ管６３から取り外してメンテナンスを行うことができ、取り外しを行うことができないものと比較して、メンテナンス性に優れる。
【００６１】
（４）実施の形態１の空調装置５０は、逆止弁ユニット７０と縦管部６３２との間に、逆止弁ユニット７０を縦管部６３２に固定したロック状態とするロック機構７５が設けられている。
したがって、着脱可能な逆止弁ユニット７０をエルボ管６３に固定でき、ロック機構７５を備えないものと比較して、振動などにより逆止弁ユニット７０の位置がずれる不具合の発生を防止できる。
【００６２】
（５）実施の形態１の変更方法は、建物の床下空間０１に設けられ、屋内の送風を冷却する熱交換器０３を備えた熱交換部０２と、熱交換器０３のドレン水を受け止め、熱交換部０２から建物外部に導くドレン排水管０５と、ドレン排水管０５において床下空間０１に配置された逆止弁０９と、ドレン排水管０５の建物外部の端部に設けられ、建物の基礎側壁０６から建物外部に突出され、かつ、下方に湾曲したエルボ管０７と、を備える空調装置から、実施の形態１の空調装置５０への変更方法である。
そして、逆止弁０９の機能を解除する工程と、既存のエルボ管０７を、少なくとも基礎側壁０６に固定されている部分を残して切除する工程と、既存のエルボ管０７の基礎側壁０６内に残っている管部の内側に、継手用管０１１を差し込み固定する工程と、継手用管０１１の外周に、エルボ管６３の横管部６３１を装着して固定する工程と、を備える。
したがって、既存の空調装置から、上記効果を備えた実施の形態１の空調装置５０に変更することが容易である。
【００６３】
（６）実施の形態１のエルボ管６３は、略直交する第１の管部としての横管部６３１と第２の管部としての縦管部６３２とを湾曲部６３３により連続させたエルボ管６３である。そして、エルボ管６３は、縦管部６３２に、横管部６３１から縦管部６３２への流体の流れを許容し、それとは逆方向の流れを遮断する逆止弁（弁体７１）を備え、逆止弁（弁体７１）は、縦管部６３２に着脱可能な逆止弁ユニット７０に支持されている。
したがって、実施の形態１の空調装置５０の提供が容易であり、かつ、既存の空調装置から空調装置５０への変更も容易である。
【００６４】
以上、図面を参照して本発明の実施の形態を説明したが、具体的な構成はこの実施の形態に限らず、本発明の要旨を逸脱しない程度の設計変更事項は本発明に含まれるものである。
実施の形態では、空調装置５０を、２階建ての建物Ｈに適用した例を示したが、空調装置５０を適用する建物としてはこれに限定されず、１階建ての建物や３階建て以上の階数の建物に適用することができる。
【００６５】
また、実施の形態では、逆止弁は、逆止弁ユニット７０として、エルボ管６３に着脱可能とした例を示したが、これに限定されない。例えば、逆止弁（弁体７１）が、エルボ管６３の縦管部６３２に固定された構成としてもよい。この場合も、逆止弁が開弁不良状態となった場合に、床下空間３２に潜ることなく建物外部で点検を行うことができ、メンテナンス性が向上する。さらに、この場合、実施の形態で示したように、水頭圧で開弁するものに限られるものではない。例えば、比較例として示した逆止弁０９を建物外部に設けたものであってもよい。
【００６６】
また、逆止弁が、エルボ管６３の縦管部６３２に設けられて、水頭圧により開弁する構造であっても、逆止弁ユニット７０として着脱可能なものに限定されず、この場合、縦管部６３２に固定されていても、メンテナンス性に優れる効果、および、「ぬめり」の影響を受けにくい効果を得ることができる。
【００６７】
また、逆止弁ユニット７０を着脱可能とする構造およびロックする構造についても、実施の形態で示したものに限定されない。例えば、実施の形態では、着脱操作部７４を回転させてロック、ロック解除を切り替えるようにしたが、単に、逆止弁ユニットを図３において左右方向に出し入れし、挿入したときに、それをロックする構造を、縦管部６３２に設けるなどして、回転操作を伴わない構造とすることもできる。
【００６８】
さらに、実施の形態の空調装置に変更する前の空調装置が、基礎側壁０６から外部に連通された側壁外部管としてエルボ管０７を有するものを示したが、この変更前の空調装置の側壁外部管としてはエルボ管０７に限定されるものではない。例えば、水平方向に突出したストレートの管であってもよい。この場合、ストレートの側壁外部管を切除する工程や、継手用管０１１を差し込み固定する工程を経ずに、エルボ管６３を側壁外部管に直接装着してもよいし、実施の形態１と同様に、側壁外部管の一部を切除したり、継手用管０１１を側部管に差し込み固定し、この継手用管０１１にエルボ管６３を装着したりしてもよい。
【００６９】
また、側壁外部管がエルボ管０７、ストレートの管のいずれにあっても、側壁外部管の基礎側壁０６に固定されている部分を残して切除する工程では、実施の形態１で示したように、基礎側壁０６に固定されている部分のみを残すものに限定されるものではない。例えば、基礎側壁０６から突出している部分を残し、この部分に直接、あるいは継手用管０１１を介してエルボ管６３を装着するようにしてもよい。
【符号の説明】
【００７０】
１２   基礎側壁
３１   床上空間
３２   床下空間
５０   空調装置
５１   熱交換部
５１ａ 熱交換器
６０   ドレン路
６１   ドレン皿
６２   ドレン管
６３   エルボ管
７０   逆止弁ユニット
７１   弁体
７２   流路形成部
７３   蓋部
７４   着脱操作部
７５   ロック機構
８０   水位センサ
６３１ 横管部
６３２ 縦管部
６３３ 湾曲部
７２２ 弁座部
７２３ 弁体保持部
Ｈ     建物
【図１】
2020204434.tif 000003
【図２】
2020204434.tif 000004
【図３】
2020204434.tif 000005
【図４】
2020204434.tif 000006
【図５Ａ】
2020204434.tif 000007
【図５Ｂ】
2020204434.tif 000008
【図６Ａ】
2020204434.tif 000009
【図６Ｂ】
2020204434.tif 000010
【図６Ｃ】
2020204434.tif 000011